(57)【要約】【課題】  電子カメラおよび接続するダイレクトプリンタの機種による差、個体差による影響を受けることなく、使用者が好ましいと感じる印刷結果を得ることができる画像処理装置を提供する。【解決手段】  撮影した静止画像及び或いは動画像を、印刷手段に直接接続して印刷可能な画像処理装置において、前記画像処理装置固有の設定で印刷する第１の印刷モードと、使用者が好ましいと感じる印刷結果を探し出すための第２の印刷モードと、使用者が好ましいと感じる印刷結果を得るための第３の印刷モード、を備える画像処理手段を有し、第１の印刷モードでは使用者が満足する印刷結果を得られない場合、第２の印刷モードにより得られた印刷結果を元に所定のパラメータを決定し、第３の印刷モードにおいて前記パラメータを反映させることで、使用者が好ましいと感じる印刷結果を得ることができるように構成する。【選択図】        図２
2005333356.tif 000002
【特許請求の範囲】
【請求項１】
撮影した静止画像及び或いは動画像を、印刷手段に直接接続して印刷可能な画像処理装置において、前記画像処理装置固有の設定で印刷する第１の印刷モードと、使用者が好ましいと感じる印刷結果を探し出すための第２の印刷モードと、使用者が好ましいと感じる印刷結果を得るための第３の印刷モード、を備える画像処理手段を有し、第１の印刷モードでは使用者が満足する印刷結果を得られない場合、第２の印刷モードにより得られた印刷結果を元に所定のパラメータを決定し、第３の印刷モードにおいて前記パラメータを反映させることで、使用者が好ましいと感じる印刷結果を得ることができることを特徴とする画像処理装置。
【発明の詳細な説明】
【技術分野】
【０００１】
本発明は、静止画像や動画像を撮像、記録、再生する画像処理装置に関する。
【背景技術】
【０００２】
ダイレクトプリントと呼ばれる、ＰＣ等の機器を介さずにプリンタと直接接続し印刷することが可能な電子カメラ及びダイレクトプリンタは既に市販されている。これらの電子カメラとダイレクトプリンタを用いれば、複雑な操作を必要とせず、誰でも簡単・手軽に撮影画像の印刷を行うことが出来る。また、電池にて駆動する小型のダイレクトプリンタも市販されており、例えば、屋外で撮影した画像を、すぐにその場で印刷することも可能である。
【特許文献１】特開２００３−２８０８４８号公報
【発明の開示】
【発明が解決しようとする課題】
【０００３】
一般的に電子カメラで撮影された画像は、カメラに内蔵されている液晶パネル等の表示装置に表示することが出来る。前記撮影画像を、ダイレクトプリンタを利用して印刷する場合、液晶パネルに表示してあらかじめ構図、露出、ピント、色合い等を確認するのが一般的である。構図は画像を液晶パネルに表示させることで確認が出来る。また、画像と一緒にヒストグラムや、白飛び警告を表示する機能を有しているカメラでは、露出の確認も可能である。さらに、拡大表示機能を有しているカメラならば、ピントの確認も詳細に行うことが出来る。
【０００４】
ところが、電子カメラの液晶パネル表示は、異なる機種間、また、個体差での色合いや明るさ、コントラスト等に少なからず違いがあるため、同じ撮影画像であっても、異なる表示になる場合がある。また、電子カメラは、使用する周辺環境を問わず、屋内、屋外のいたるところ、様々な光源下で使用されるため、光源による影響が大きく、液晶パネルの見えの差を生じることがある。
【０００５】
一方、ＰＣを用いて撮影画像を印刷する場合には、屋内で使用されることが一般的であり、周辺環境は一定しており、光源の変化は小さい。さらにディスプレイの詳細な調整も可能であるものもあり、表示画面と印刷結果を一致させることも可能である。また、レタッチなどにより使用者が好ましいと感じる色合い等に変更してから印刷することがしばしば行われている。
【０００６】
上記のような理由から、電子カメラでダイレクトプリントを行う場合、液晶パネル表示から印刷結果を判断することは難しく、ＰＣを利用して印刷する場合に比べて、使用者が満足する印刷結果を得られにくいと考えられる。また、液晶パネルの表示と印刷結果が一致するような組み合わせであっても、一般的には、電子カメラは、レタッチ等の機能を有していないため、使用者の思い通りに撮影画像の色合い等を変更することはできない。
【０００７】
本発明は、上述の問題点に着目して成されたものであって、電子カメラおよび接続するダイレクトプリンタの機種による差、個体差による影響を受けることなく、使用者が好ましいと感じる印刷結果を得ることができる画像処理装置を提供することを目的とする。
【課題を解決するための手段】
【０００８】
上記課題を解決するために、本発明は以下の構成を備える。
【０００９】
撮影した静止画像及び或いは動画像を、印刷手段に直接接続して印刷可能な画像処理装置において、前記画像処理装置固有の設定で印刷する第１の印刷モードと、使用者が好ましいと感じる印刷結果を探し出すための第２の印刷モードと、使用者が好ましいと感じる印刷結果を得るための第３の印刷モード、を備える画像処理手段を有し、第１の印刷モードでは使用者が満足する印刷結果を得られない場合、第２の印刷モードにより得られた印刷結果を元に所定のパラメータを決定し、第３の印刷モードにおいて前記パラメータを反映させることで、使用者が好ましいと感じる印刷結果を得ることができることを特徴とする。
【発明の効果】
【００１０】
従来の電子カメラにもＷＢ（ＷｈｉｔｅＢａｌａｎｃｅ）ブラケットと呼ばれる機能を有しているものがある。上記ＷＢブラケットの機能を用いると、一度の撮影で、ホワイトバランスの条件を変化させた、複数の撮影画像を記録できる。しかし、この方法を用いた場合でも、使用者が好ましいと感じる撮影画像を得られるかは確証がなく、一度の撮影にて複数の撮影データが記録されるため、小容量の記録媒体を用いている場合には有効な手段とは言えない。また、現像パラメータと呼ばれる、色合いや、シャープネス等の度合いを使用者が変更することができる機能を有しているカメラも存在するが、課題のところで述べたように、液晶画面から印刷結果を判断することが難しい。
【００１１】
本発明を用いることで、電子カメラおよび接続するダイレクトプリンタの機種による差、個体差による影響を受けることなく、使用者が好ましいと感じる印刷結果を得ることができる。
【発明を実施するための最良の形態】
【００１２】
以下、図面を参照して本発明の実施例を説明する。
【実施例】
【００１３】
図１は、本発明の実施例の構成を示す図である。
【００１４】
図１において、１００は画像処理装置である。
【００１５】
１２は撮像素子１４への露光量を制御するためのシャッター、１４は光学像を電気信号に変換する撮像素子である。
【００１６】
撮影レンズ３１０に入射した光線は、一眼レフ方式によって、絞り３１２、レンズマウント３０６及び１０６、ミラー１３０、シャッター１２を介して導き、光学像として撮像素子１４上に結像することが出来る。
【００１７】
１６は撮像素子１４のアナログ信号出力をディジタル信号に変換するＡ／Ｄ変換器である。
【００１８】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１９】
２０は画像処理回路であり、Ａ／Ｄ変換器１６からのデータ或いはメモリ制御回路２２からのデータに対して所定の画素補間処理や色変換処理を行う。
【００２０】
また、画像処理回路２０においては、必要に応じて、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。
【００２１】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２２】
なお、本実施例においては、測距手段４２及び測光手段４６を専用に備える構成としたため、測距手段４２及び測光手段４６を用いてＡＦ（オートフォーカス）処理、ＡＥ（自動露出）処理、ＥＦ（フラッシュ調光）処理の各処理を行い、上記画像処理回路２０を用いたＡＦ（オートフォーカス）処理、ＡＥ（自動露出）処理、ＥＦ（フラッシュ調光）処理の各処理を行わない構成としても良い。
【００２３】
或いは、測距手段４２及び測光手段４６を用いてＡＦ（オートフォーカス）処理、ＡＥ（自動露出）処理、ＥＦ（フラッシュ調光）処理の各処理を行い、さらに、上記画像処理回路２０を用いたＡＦ（オートフォーカス）処理、ＡＥ（自動露出）処理、ＥＦ（フラッシュ調光）処理の各処理を行う構成としても良い。
【００２４】
２２はメモリ制御回路であり、Ａ／Ｄ変換器１６、タイミング発生回路１８、画像処理回路２０、画像表示メモリ２４、Ｄ／Ａ変換器２６、メモリ３０、画像圧縮・伸長回路３２を制御する。
【００２５】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２６】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２７】
画像表示部２８を用いて撮像した画像データを逐次表示すれば、電子ファインダ機能を実現することが可能である。
【００２８】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２９】
３０は撮影した静止画像や動画像を格納するためのメモリであり、所定枚数の静止画像や所定時間の動画像を格納するのに十分な記憶量を備えている。
【００３０】
これにより、複数枚の静止画像を連続して撮影する連写撮影やパノラマ撮影の場合にも、高速かつ大量の画像書き込みをメモリ３０に対して行うことが可能となる。
【００３１】
また、メモリ３０はシステム制御回路５０の作業領域としても使用することが可能である。
【００３２】
３２は適応離散コサイン変換（ＡＤＣＴ）等により画像データを圧縮伸長する画像圧縮・伸長回路であり、メモリ３０に格納された画像を読み込んで圧縮処理或いは伸長処理を行い、処理を終えたデータをメモリ３０に書き込む。
【００３３】
４０は測光手段４６からの測光情報に基づいて、絞り３１２を制御する絞り制御手段３４０と連携しながら、シャッター１２を制御するシャッター制御手段である。
【００３４】
４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。
【００３５】
４４は温度計であり、撮影環境の温度を検出することができる。
【００３６】
温度計４４がセンサー内にある場合はセンサーの暗電流をより正確に予想することが可能である。
【００３７】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。
【００３８】
また、測光手段４６は、フラッシュ４８と連携することによりＥＦ（フラッシュ調光）処理機能も有するものである。
【００３９】
４８はフラッシュであり、ＡＦ補助光の投光機能、フラッシュ調光機能も有する。
【００４０】
なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。
【００４１】
さらに、測距手段４２による測定結果と、撮像素子１４によって撮像した画像データを画像処理回路２０によって演算した演算結果とを共に用いてＡＦ（オートフォーカス）制御を行っても構わない。
【００４２】
そして、測光手段４６による測定結果と、撮像素子１４によって撮像した画像データを画像処理回路２０によって演算した演算結果とを共に用いて露出制御を行っても構わない。
【００４３】
５０は画像処理装置１００全体を制御するシステム制御回路、５２はシステム制御回路５０の動作用の定数、変数、プログラム等を記憶するメモリである。
【００４４】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００４５】
また、表示部５４は、その一部の機能が光学ファインダ１０４内に設置されている。
【００４６】
表示部５４の表示内容のうち、ＬＣＤ等に表示するものとしては、例えば、シングルショット／連写撮影表示、セルフタイマー表示、圧縮率表示、ＩＳＯ感度表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、外部コンピュータとの接続状態を示す表示、等がある。
【００４７】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００４８】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００４９】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００５０】
５６は電気的に消去・記録可能な不揮発性メモリであり、例えばＥＥＰＲＯＭ、ＦＬＡＳＨ  ＭＥＭＯＲＹ等が用いられる。この不揮発性メモリ５６には、各種パラメータやＩＳＯ感度などの設定値、設定モード、及び水平ダークシェーディング補正を行う際に用いる１次元補正データが格納される。この１次元補正データは、工程において調整時に作成され書き込まれる。
【００５１】
６０、６２、６４、６６、６８、６９及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００５２】
ここで、これらの操作手段の具体的な説明を行う。
【００５３】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード、ストロボ投光禁止モード等の各機能撮影モードを切り替え設定することが出来る。
【００５４】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００５５】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５６】
６６は再生スイッチで、撮影モード状態において、撮影した画像をメモリ３０或いは記録媒体２００或いは２１０から読み出して画像表示部２８によって表示する再生動作の開始を指示する。
【００５７】
６８は単写／連写スイッチで、シャッタースイッチＳＷ２  ６４を押した場合に１駒の撮影を行って待機状態とする単写モードと、シャッタースイッチＳＷ２  ６４を押している間は連続して撮影を行い続ける連写モードとを設定することが出来る。
【００５８】
６９はＩＳＯ感度設定スイッチで、撮像素子１４或いは画像処理回路２０におけるゲインの設定を変更することにより、ＩＳＯ感度を設定することができる。
【００５９】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することが出来るＡＦモード設定スイッチ等がある。
【００６０】
また、上記プラスボタン及びマイナスボタンの各機能は、回転ダイヤルスイッチを備えることによって、より軽快に数値や機能を選択することが可能となる。
【００６１】
７２は電源スイッチで、画像処理装置１００の電源オン、電源オフの各モードを切り替え設定することが出来る。また、画像処理装置１００に接続されたレンズユニット３００、外部ストロボ、記録媒体２００、２１０等の各種付属装置の電源オン、電源オフの設定も合わせて切り替え設定することが出来る。
【００６２】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００６３】
８２、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６４】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００６５】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００６６】
インタフェース及びコネクタとしては、ＰＣＭＣＩＡカードやＣＦ（コンパクトフラッシュ（登録商標））カード等の規格に準拠したものを用いて構成して構わない。
【００６７】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６８】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００６９】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００７０】
１１２は通信手段１１０により画像処理装置１００を他の機器と接続するコネクタ或いは無線通信の場合はアンテナである。コネクタ（またはアンテナ）１１２を介して、ケーブルまたは無線通信によりダイレクトプリンタ４００と接続が可能である。
【００７１】
１２０は、レンズマウント１０６内において、画像処理装置１００をレンズユニット３００と接続するためのインタフェース、１２２は画像処理装置１００をレンズユニット３００と電気的に接続するコネクタである。
【００７２】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００７３】
１３０、１３２はミラーで、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。
【００７４】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００７５】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００７６】
３００は交換レンズタイプのレンズユニットである。
【００７７】
３０６は、レンズユニット３００を画像処理装置１００と機械的に結合するレンズマウントである。レンズマウント３０６内には、レンズユニット３００を画像処理装置１００と電気的に接続する各種機能が含まれている。
【００７８】
３１０は撮影レンズ、３１２は絞りである。
【００７９】
３２０は、レンズマウント３０６内において、レンズユニット３００を画像処理装置１００と接続するためのインタフェース、３２２はレンズユニット３００を画像処理装置１００と電気的に接続するコネクタである。
【００８０】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００８１】
３４０は測光手段４６からの測光情報に基づいて、シャッター１２を制御するシャッター制御手段４０と連携しながら、絞り３１２を制御する絞り制御手段である。
【００８２】
３４２は撮影レンズ３１０のフォーカシングを制御する測距制御手段、３４４は撮影レンズ３１０のズーミングを制御するズーム制御手段である。
【００８３】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００８４】
図２から図６を参照して、本発明の実施例の動作を説明する。
【００８５】
図２は本発明の実施例の画像処理装置１００の主ルーチンのフローチャートを示す。図２を用いて、画像処理装置１００の動作を説明する。
【００８６】
再生スイッチ６６が操作されると、撮影画像を画像表示部２８に表示する（Ｓ２０２）。画像表示シーケンスを図３を用いて説明する。
【００８７】
画像処理装置１００は、記録媒体２００または記録媒体２１０に記録されている撮影画像データを読み出し（Ｓ３０２）、メモリ３０に転送する（Ｓ３０４）。前記メモリ３０に転送された撮影画像データは、画像圧縮・伸張回路３２により伸張処理され（Ｓ３０６）、再びメモリ３０に展開される（Ｓ３０８）。前記メモリ３０に展開された画像データは、画像表示部２８が表示可能なサイズへのリサイズ処理等が行われ（Ｓ３１０）、画像表示メモリ２４に格納される（Ｓ３１２）。前記画像表示メモリ２４に格納された、リサイズされた表示用画像データは、Ｄ／Ａ変換器２６によりアナログ信号に変換され（Ｓ３１４）、画像表示部２８に表示される（Ｓ３１６）。
【００８８】
コネクタ１１２を介してダイレクトプリンタ４００が接続されている場合は、前記プリンタに設置されているインク残量、印刷用紙の有無等を確認し（Ｓ２０４）、印刷可能であるならば、印刷可能であることを、画像表示部２８にアイコン等を表示することで使用者に伝える（Ｓ２０６）。アイコン表示後、操作部７０を介して使用者が印刷を行うための操作がされると（Ｓ２０８）、画像表示部に、第１及び第３の印刷モードか第２の印刷モードのいずれかを選択する画面が表示され、使用者はどちらかを選択する（Ｓ２１０）。
【００８９】
第２の印刷モードが選択された場合の動作を図４と図５を用いて説明する。
第２の印刷モードが選択されると、画像表示部には、図４のように撮影画像（Ｐ４１０）のほかに所定のパラメータを選択するメニュー（Ｐ４２０）が表示される。本実施例では、前記所定のパラメータは、例えば、赤色成分、青色成分を強弱する係数とし、０〜１０の１１段階の値を取り、デフォルト値は５であるとする。方向キー、ダイヤルスイッチなど操作部７０を用いて使用者は前記パラメータの値を変更することができる。使用者の操作によりパラメータを変更された時に、画像表示部２８に表示されている撮影画像Ｐ４１０の色調もリアルタイムに変化するような仕組みにしておくことで、使用者はパラメータの変化の度合いに対する、画像の色調の変化の度合いを定性的に判断することが可能となる。なお、画像表示部に表示されるデータは使用者の操作により選択されているパラメータを用いた任意の変換式を用いて撮影画像から生成される。
【００９０】
使用者によりパラメータを決定した後、画像表示部２８には、図５のように複数の画像がインデックス状に表示される。本実施例では、撮影画像（Ｐ５１０）、使用者が決定したパラメータを用いた変換式により撮影画像から生成された画像（Ｐ５２０）、使用者が決定したパラメータよりも１段分小さい値を用いた変換式により撮影画像から生成された画像（Ｐ５３０）、使用者が決定したパラメータよりも１段分大きい値を用いた変換式により撮影画像から生成された画像（Ｐ５４０）、の４種類の画像を表示する。これにより、元の撮影画像に対して、パラメータ変更により、どの程度色調が変化しているのかが判断しやすい。
【００９１】
第２の印刷モードでは前記４種類の画像を表示画面と同じようにインデックス状に印刷し、その印刷結果から、使用者が好ましいと感じる画像を選び出す。上記により、選ばれた画像に対応するパラメータ、つまり、最適なパラメータを求めることが出来る。Ｐ５３０、Ｐ５４０のように使用者が選択したパラメータ近傍の画像も印刷しておくことで、より的確に使用者が好ましいと感じる印刷結果を得やすくなる。
【００９２】
Ｓ２１０において、第２の印刷モードではなく、第１或いは第３の印刷モードを選んだ場合（Ｓ２２２）のシーケンスを図６を用いて説明する。まず、印刷に関する一般的な設定を行う。本実施例では、始めに画像トリミング設定を行う（Ｓ６０２）。画像トリミング設定では、画像のどの範囲を印刷するのかを決定する。拡大表示機能を有するカメラならば、トリミング範囲を拡大表示しながら選択することが可能である。また、画像全体を全体することも当然可能である。次に印刷スタイルの設定を行う（Ｓ６０４）。印刷スタイルの設定では、ふちの有無、日付印字の有無を設定可能である。他には用紙サイズの設定（Ｓ６０６）、印刷枚数の設定（Ｓ６０８）等を行う。用紙サイズの設定は、プリンタが印刷可能なサイズから選択することが可能である。最後に、第２の印刷モードにより決定されたパラメータを設定する（Ｓ６１０）。前記第２の印刷モードの結果から、ユーザが好ましいと感じたパラメータを入力することができる。ここでパラメータをデフォルトのままにしておけばカメラ固有の設定となる（すなわち第１の印刷モードとなる）。
【００９３】
画像表示部２８には前記パラメータを反映した画像が表示される（Ｓ２２４）。接続されているダイレクトプリンタ４００にデータを転送する（Ｓ２２６）。上記により、第２の印刷モードにより決定されたパラメータを反映した印刷結果、すなわち、ユーザが求める印刷結果を得ることができる（Ｓ２２８）。
【図面の簡単な説明】
【００９４】
【図１】本発明を実現するための必要な機器類の構成図
【図２】本発明を実現するための主フローチャート
【図３】撮影された画像データを画像表示部２８に表示するためのフローチャート
【図４】第２の印刷モードにおける表示画面１を示す図
【図５】第２の印刷モードにおける表示画面２を示す図
【図６】第１及び第３の印刷モードのフローチャート
【符号の説明】
【００９５】
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  シャッター制御手段
４２  測距手段
４４  温度計
４６  測光手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  再生スイッチ
６８  単写／連写スイッチ
６９  ＩＳＯ感度設定スイッチ
７０  操作部
７２  電源スイッチ
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダ
１０６  レンズマウント
１１０  通信手段
１１２  コネクタ（またはアンテナ）
１２０  インタフェース
１２２  コネクタ
１３０  ミラー
１３２  ミラー
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  絞り
３２０  インタフェース
３２２  コネクタ
３４０  絞り制御手段
３４２  測距制御手段
３４４  ズーム制御手段
３５０  レンズシステム制御回路
４００  ダイレクトプリンタ
【図１】
2005333356.tif 000003
【図２】
2005333356.tif 000004
【図３】
2005333356.tif 000005
【図４】
2005333356.tif 000006
【図５】
2005333356.tif 000007
【図６】
2005333356.tif 000008